(57)【要約】【課題】放射線変換器上の指定部位に被写体が正しく接触しているか否かを判断できるとともに、適切な状態で良好な撮影を行うことのできる放射線画像撮影システムを提供することを目的とする。【解決手段】コンソール３４の撮影メニュー設定部１１７で設定した撮影部位に係る撮影プロファイルを撮影プロファイルメモリ１１９から選択して、電子カセッテ２８のレイアウトとともに表示部１２４に表示させ、指定部位設定部１１５により電子カセッテ２８上での所定部分を指定部位として設定する。電子カセッテ２８に患者２２の撮影部位を設定したときの圧力センサ４８の圧力から接触状態を検知し、前記指定部位の範囲内の圧力センサ４８が接触状態であるか否かを判断し、その判断結果を表示部１２４及びスピーカ１２６を用いて技師に報知する。【選択図】図４
2009178196.tif 000002
【特許請求の範囲】
【請求項１】
被写体を透過した放射線を検出し、画像情報に変換する放射線変換器と、
前記放射線変換器の撮影領域に設置され、前記放射線変換器に対する前記被写体の接触状態を検知する接触状態検知手段と、
前記被写体が配置される前記放射線変換器上の所定部分を指定部位として設定する指定部位設定手段と、
前記接触状態検知手段により検知された前記被写体の接触状態から、前記指定部位に前記被写体が接触しているか否かを判断する接触状態判断手段と、
前記接触状態の判断結果を報知する判断結果報知手段と、
を備えることを特徴とする放射線画像撮影システム。
【請求項２】
請求項１記載のシステムにおいて、
前記接触状態検知手段は、前記撮影領域の複数の部位に配置され、前記被写体から付与される圧力を接触状態として検知する複数の圧力センサであることを特徴とする放射線画像撮影システム。
【請求項３】
請求項１記載のシステムにおいて、
前記接触状態検知手段は、前記撮影領域に配置され、前記被写体の接触状態を検知する２次元センサであることを特徴とする放射線画像撮影システム。
【請求項４】
請求項１記載のシステムにおいて、
前記２次元センサは、タッチパネルであることを特徴とする放射線画像撮影システム。
【請求項５】
請求項１記載のシステムにおいて、
前記被写体の撮影部位を選択するための撮影メニューを設定する撮影メニュー設定手段を有し、
前記指定部位設定手段は、設定された前記撮影メニューから選択した前記撮影部位に対して前記指定部位を設定することを特徴とする放射線画像撮影システム。
【請求項６】
請求項１記載のシステムにおいて、
前記画像情報の撮影の際に設定した前記指定部位を、前記被写体を特定する情報、又は、前記被写体の撮影部位を特定する情報と関連させて記憶する指定部位記憶手段を有し、
前記指定部位設定手段は、前記情報に従い前記指定部位を前記指定部位記憶手段から読み出して設定することを特徴とする放射線画像撮影システム。
【請求項７】
請求項１記載のシステムにおいて、
検出した前記画像情報を記憶する画像情報記憶手段を有し、
前記指定部位設定手段は、前記画像情報記憶手段から読み出した前記画像情報と前記接触状態検知手段との位置関係を用いて前記指定部位を設定することを特徴とする放射線画像撮影システム。
【請求項８】
請求項１記載のシステムにおいて、
前記判断結果報知手段は、当該システムを操作する技師が所持する携帯情報端末であることを特徴とする放射線画像撮影システム。
【請求項９】
請求項１記載のシステムにおいて、
前記放射線変換器は、バッテリで駆動される固体検出器により構成され、
前記判断結果報知手段は、前記バッテリを充電処理するクレードルであることを特徴とする放射線画像撮影システム。
【請求項１０】
請求項１記載のシステムにおいて、
前記判断結果報知手段は、放射線源を制御する制御装置であることを特徴とする放射線画像撮影システム。
【請求項１１】
請求項８〜１０のいずれか１項に記載のシステムにおいて、
前記判断結果報知手段は、前記判断結果を表示する表示部を有することを特徴とする放射線画像撮影システム。
【請求項１２】
請求項１１記載のシステムにおいて、
前記表示部は、前記放射線変換器に対する接触範囲を表示することを特徴とする放射線画像撮影システム。
【請求項１３】
請求項８〜１０のいずれか１項に記載のシステムにおいて、
前記判断結果報知手段は、前記判断結果を警報として報知する警報報知部を有することを特徴とする放射線画像撮影システム。
【請求項１４】
請求項１記載のシステムにおいて、
前記接触状態判断手段による前記接触状態の判断結果に従い、放射線源の照射動作を制御する線源制御装置を有することを特徴とする放射線画像撮影システム。
【請求項１５】
請求項１記載のシステムにおいて、
前記接触状態判断手段は、前記接触状態検知手段により検知される前記接触状態の変化から、前記被写体の接触状態を判断することを特徴とする放射線画像撮影システム。
【発明の詳細な説明】
【技術分野】
【０００１】
本発明は、被写体に放射線を照射して放射線画像の撮影を行う放射線画像撮影システムに関する。
【背景技術】
【０００２】
医療分野において、被写体に放射線を照射し、被写体を透過した放射線を放射線変換器に導いて放射線画像を撮影する放射線画像撮影装置が広汎に使用されている。
【０００３】
この場合、放射線変換器を構成する放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００４】
一方、手術室等の医療現場においては、患者に対して迅速且つ的確な処置を施すため、放射線変換パネルから直ちに放射線画像を読み出して表示できることが要求される。このような要求に対応可能な放射線変換パネルとして、放射線を直接電気信号に変換し、あるいは、放射線をシンチレータで可視光に変換した後、電気信号に変換して読み出す固体検出素子を用いた放射線変換パネルが開発されている。
【０００５】
ところで、放射線変換器に対して適切な放射線画像を記録するためには、被写体と放射線変換器との位置関係を高精度に調整する必要がある。
【０００６】
そこで、例えば、特許文献１に開示された従来技術では、図８に示すように、放射線変換器２の外周部の４個所に接触センサ４ａ〜４ｄを配設しておき、被写体６が接触することで特定された接触センサ４ａを基準として放射線変換器２の撮影領域８を設定し、その撮影領域８に対して放射線源１０から放射線Ｘを照射することで放射線画像を撮影するように構成している。
【０００７】
また、特許文献２に開示された従来技術では、図９に示すように、矢印方向に移動可能に構成した撮影台１２の下部にスイッチ１４を配設しておき、撮影台１２を上下させ、被写体６によりスイッチ１４がオン状態となった位置で撮影台１２を位置決めして撮影するように構成している。
【０００８】
さらに、特許文献３に開示された従来技術では、放射線変換パネルを収納するカセッテの一部に接触検知手段を配設しておき、この接触検知手段に被写体が接触した際に、放射線変換器に電力を供給して撮影可能な状態とするように構成している。
【０００９】
【特許文献１】特開２００６−２１８２１６号公報
【特許文献２】特開２００２−２７２７３２号公報
【特許文献３】特開２００５−１７３４３２号公報
【発明の開示】
【発明が解決しようとする課題】
【００１０】
この場合、特許文献１、２では、放射線変換器２又は撮影台１２の所定の撮影領域に被写体６を設定することはできるが、放射線変換器２又は撮影台１２に対する被写体６の特定の撮影部位の密着性を確保できる保証はない。そのため、例えば、特許文献１では、放射線源１０と放射線変換器との距離が場所によって異なり、鮮明な画像を得ることができないことがある。
【００１１】
また、特許文献３では、放射線変換器を収納するカセッテと被写体との接触を検知しているだけであり、この場合も、特定した撮影部位の密着性について何ら保証されるものではない。
【００１２】
本発明は、前記の課題に鑑みなされたものであり、放射線変換器上の指定部位に被写体が正しく接触しているか否かを判断できるとともに、適切な状態で良好な撮影を行うことのできる放射線画像撮影システムを提供することを目的とする。
【課題を解決するための手段】
【００１３】
本発明の放射線画像撮影システムは、被写体を透過した放射線を検出し、画像情報に変換する放射線変換器と、
前記放射線変換器の撮影領域に設置され、前記放射線変換器に対する前記被写体の接触状態を検知する接触状態検知手段と、
前記被写体が配置される前記放射線変換器上の所定部分を指定部位として設定する指定部位設定手段と、
前記接触状態検知手段により検知された前記被写体の接触状態から、前記指定部位に前記被写体が接触しているか否かを判断する接触状態判断手段と、
前記接触状態の判断結果を報知する判断結果報知手段と、
を備えることを特徴とする。
【発明の効果】
【００１４】
本発明によれば、放射線変換器の指定部位に被写体の撮影部位が正しく接触しているか否かを判断することができる。一方、判断結果に従い、前記指定部位に撮影部位を正しく設定した状態で放射線を被写体に照射することにより、当該撮影部位の良好な放射線画像を放射線変換器に記録することができる。
【発明を実施するための最良の形態】
【００１５】
図１は、本実施形態に係る放射線画像撮影システム２０の説明図である。放射線画像撮影システム２０は、撮影条件に従った線量からなる放射線Ｘを患者２２（被写体）に照射する放射線源２４と、放射線源２４を制御する線源制御装置２６と、患者２２を透過した放射線Ｘを検出する放射線検出器を内蔵した電子カセッテ２８（放射線変換器）と、電子カセッテ２８の充電処理を行うクレードル３０と、放射線源２４の撮影スイッチを有し、撮影作業を含む状態確認のために技師が所持する携帯情報端末３２と、線源制御装置２６、電子カセッテ２８、クレードル３０及び携帯情報端末３２を制御するとともに、必要な情報の授受を行うコンソール３４（制御装置）とを備える。
【００１６】
放射線源２４、線源制御装置２６及びクレードル３０は、撮影室３６内に配置され、コンソール３４は、撮影室３６外の操作室３８に配置される。また、線源制御装置２６、電子カセッテ２８、クレードル３０、携帯情報端末３２及びコンソール３４の間では、無線通信による必要な情報の送受信が行われる。
【００１７】
図２は、電子カセッテ２８の内部構成図である。電子カセッテ２８は、放射線Ｘを透過させる材料からなるケーシング４０を備える。ケーシング４０の内部には、放射線Ｘが照射される照射面側から、患者２２による放射線Ｘの散乱線を除去するグリッド４２、患者２２を透過した放射線Ｘを検出する放射線検出器４４（固体検出器）、及び、放射線Ｘのバック散乱線を吸収する鉛板４６が順に配設される。また、ケーシング４０の放射線Ｘが照射される照射面には、患者２２が接触したことを検知する複数の圧力センサ４８（接触状態検知手段）が所定の間隔でマトリックス状に配列される。これらの圧力センサ４８は、放射線Ｘを十分に透過させることのできる材料で構成することが望ましい。
【００１８】
ケーシング４０の内部には、電子カセッテ２８の電源であるバッテリ５０と、バッテリ５０から供給される電力により放射線検出器４４を駆動制御するカセッテ制御部５２と、放射線検出器４４によって検出した放射線Ｘの画像情報を含む信号をクレードル３０、携帯情報端末３２及びコンソール３４との間で送受信する送受信部５４とが収容される。なお、カセッテ制御部５２及び送受信部５４には、放射線Ｘが照射されることによる損傷を回避するため、ケーシング４０の照射面側に鉛板等を配設しておくことが好ましい。
【００１９】
図３は、放射線検出器４４の回路構成ブロック図である。放射線検出器４４は、放射線Ｘを感知して電荷を発生させるアモルファスセレン（ａ−Ｓｅ）等の物質からなる光電変換層５６を行列状の薄膜トランジスタ（ＴＦＴ：Ｔｈｉｎ  Ｆｉｌｍ  Ｔｒａｎｓｉｓｔｏｒ）５８のアレイの上に配置した構造を有し、発生した電荷を蓄積容量６０に蓄積した後、各行毎にＴＦＴ５８を順次オンにして、電荷を画像信号として読み出す。図３では、光電変換層５６及び蓄積容量６０からなる１つの画素６２と１つのＴＦＴ５８との接続関係のみを示し、その他の画素６２の構成については省略している。なお、アモルファスセレンは、高温になると構造が変化して機能が低下してしまうため、所定の温度範囲内で使用する必要がある。従って、電子カセッテ２８内に放射線検出器４４を冷却する手段を配設することが好ましい。
【００２０】
各画素６２に接続されるＴＦＴ５８には、行方向と平行に延びるゲート線６４と、列方向と平行に延びる信号線６６とが接続される。各ゲート線６４は、ライン走査駆動部６８に接続され、各信号線６６は、読取回路を構成するマルチプレクサ７６に接続される。
【００２１】
ゲート線６４には、行方向に配列されたＴＦＴ５８をオンオフ制御する制御信号Ｖｏｎ、Ｖｏｆｆがライン走査駆動部６８から供給される。この場合、ライン走査駆動部６８は、ゲート線６４を切り替える複数のスイッチＳＷ１と、スイッチＳＷ１の１つを選択する選択信号を出力するアドレスデコーダ７０とを備える。アドレスデコーダ７０には、カセッテ制御部５２からアドレス信号が供給される。
【００２２】
また、信号線６６には、列方向に配列されたＴＦＴ５８を介して各画素６２の蓄積容量６０に保持されている電荷が流出する。この電荷は、増幅器７２によって増幅される。増幅器７２には、サンプルホールド回路７４を介してマルチプレクサ７６が接続される。マルチプレクサ７６は、信号線６６を切り替える複数のスイッチＳＷ２と、スイッチＳＷ２の１つを選択する選択信号を出力するアドレスデコーダ７８とを備える。アドレスデコーダ７８には、カセッテ制御部５２からアドレス信号が供給される。マルチプレクサ７６には、Ａ／Ｄ変換器８０が接続され、Ａ／Ｄ変換器８０によってデジタル信号に変換された放射線画像情報がカセッテ制御部５２に供給される。
【００２３】
図４は、放射線画像撮影システム２０の構成ブロック図である。コンソール３４には、病院内の放射線科において取り扱われる放射線画像情報やその他の情報を統括的に管理する放射線科情報システム（ＲＩＳ）８２が接続され、また、ＲＩＳ８２には、病院内の医事情報を統括的に管理する医事情報システム（ＨＩＳ）８４が接続される。
【００２４】
電子カセッテ２８を構成するカセッテ制御部５２（図２参照）は、各圧力センサ４８によって検出した圧力を圧力情報として記憶するセンサメモリ８６と、放射線検出器４４によって検出した放射線画像情報を記憶する画像メモリ８８とを有する。これらの圧力情報及び放射線画像情報は、送受信部５４を介してクレードル３０、携帯情報端末３２及びコンソール３４に送信される。なお、放射線画像情報は、必要に応じて、圧縮された状態で送信される。
【００２５】
クレードル３０の制御部９０は、電子カセッテ２８のバッテリ５０の充電処理を行う充電処理部９２を制御する一方、送受信部９４を介してコンソール３４から受信した患者２２の電子カセッテ２８に対する接触状態の判断結果（後述）を表示部９６に表示するとともに、判断結果に基づき、必要に応じてスピーカ９８（警報報知部）を鳴動させる。なお、表示部９６には、電子カセッテ２８によって取得した放射線画像情報をプレビュー画像として表示させるようにしてもよい。
【００２６】
携帯情報端末３２の制御部１００は、放射線源２４を駆動する撮影スイッチ１０２によって生成された撮影信号を送受信部１０４を介して線源制御装置２６に供給する。また、制御部１００は、送受信部１０４を介してコンソール３４から受信した患者２２の電子カセッテ２８に対する接触状態の判断結果を表示部１０６に表示するとともに、判断結果に基づき、必要に応じてスピーカ１０８（警報報知部）を鳴動させる。表示部１０６には、電子カセッテ２８によって取得した放射線画像情報をプレビュー画像として表示させるようにしてもよい。なお、携帯情報端末３２は、必要な情報を設定することのできる操作部１１０を有する。
【００２７】
コンソール３４は、制御部１１２と、線源制御装置２６、電子カセッテ２８、クレードル３０及び携帯情報端末３２に対して、必要な情報を無線通信により送受信する送受信部１１４と、患者２２の撮影部位の注目部分が接触する電子カセッテ２８上の指定部位を設定する指定部位設定部１１５（指定部位設定手段）と、患者情報を設定する患者情報設定部１１６と、患者２２の撮影部位を撮影メニューから選択して設定する撮影メニュー設定部１１７（撮影メニュー設定手段）と、線源制御装置２６による撮影に必要な撮影条件を設定する撮影条件設定部１１８と、電子カセッテ２８に接触する患者２２の撮影部位に係る設定接触範囲を撮影プロファイルとして記憶する撮影プロファイルメモリ１１９と、指定部位設定部１１５で設定した指定部位を患者情報に関連させて記憶する指定部位メモリ１２１（指定部位記憶手段）と、電子カセッテ２８から送信された放射線画像情報に対する画像処理を行う画像処理部１２０と、処理した放射線画像情報を患者情報に関連させて記憶する画像メモリ１２２（画像情報記憶手段）と、放射線画像情報を表示する一方、電子カセッテ２８から送信された圧力情報に基づき、電子カセッテ２８に対する患者２２の接触状態の判断結果を表示する表示部１２４と、判断結果に基づき、必要に応じた警報を鳴動させるスピーカ１２６とを備える。
【００２８】
なお、患者情報とは、患者２２の氏名、性別、患者ＩＤ番号等、患者２２を特定するための情報である。撮影メニューは、患者２２の撮影部位を選択するためのメニューであり、撮影部位としては、例えば、患者２２の頭部、胸部、四肢等を上げることができる。撮影条件とは、患者２２の撮影部位に対して、適切な線量からなる放射線Ｘを照射するための管電圧、管電流、照射時間等を決定するための条件である。患者情報、撮影メニュー及び撮影条件を含む撮影のオーダリング情報は、コンソール３４で直接設定し、あるいは、ＲＩＳ８２を介してコンソール３４に外部から供給することができる。
【００２９】
また、コンソール３４の制御部１１２は、電子カセッテ２８の各圧力センサ４８により検出した圧力の情報から、電子カセッテ２８上に設定した指定部位に患者２２の撮影部位が接触しているか否かを判断する接触状態判断手段として機能する。
【００３０】
なお、クレードル３０の制御部９０、又は、携帯情報端末３２の制御部１００を接触状態判断手段として機能させ、クレードル３０又は携帯情報端末３２において、電子カセッテ２８上に設定した指定部位に患者２２の撮影部位が接触しているか否かを判断するようにしてもよい。
【００３１】
本実施形態の放射線画像撮影システム２０は、基本的には以上のように構成されるものであり、次にその動作について説明する。
【００３２】
患者２２の放射線画像を撮影する際、コンソール３４の患者情報設定部１１６を用いて当該患者２２の患者情報を設定するとともに、撮影条件設定部１１８を用いて必要な撮影条件を設定する。また、撮影メニュー設定部１１７を用いて、表示部１２４に表示させた撮影メニューから所望の撮影部位、例えば、胸部、頭部、四肢等を選択して設定する。この場合、選択された撮影部位に従い、撮影プロファイルメモリ１１９から対応する撮影プロファイルが読み出される。なお、これらの情報は、送受信部１１４を介して上流のＲＩＳ８２、ＨＩＳ８４から取得してもよい。
【００３３】
読み出された撮影プロファイルは、図５又は図６に示すように、電子カセッテ２８及びその表面に設置された圧力センサ４８のレイアウトとともに、撮影プロファイルである設定接触範囲１３０、１３２が表示部１２４に表示される。図５は、胸部の撮影部位に対応する撮影プロファイルである設定接触範囲１３０を示し、図６は、手部の撮影部位に対応する撮影プロファイルである設定接触範囲１３２を示す。
【００３４】
次いで、指定部位設定部１１５を用いて、表示部１２４に表示された設定接触範囲１３０、１３２のうち、注目部分の放射線画像が記録される電子カセッテ２８の所定部分の範囲を指定部位１３４、１３６として指定する。なお、図６に示すように、指定部位１３６を複数指定することもできる。さらに、個々の圧力センサ４８を指定部位１３４、１３６として指定してもよい。設定された指定部位１３４、１３６の情報は、患者２２に関連させて指定部位メモリ１２１に記憶される。
【００３５】
また、設定された患者情報、撮影条件及び撮影部位は、技師が所持する携帯情報端末３２に送信され、図５、図６に示す画像が表示部１０６に表示される。この場合、技師は、携帯情報端末３２の表示部１０６に表示された患者情報、撮影条件及び撮影部位を確認して、所望の撮影準備を行うことができる。
【００３６】
そこで、技師は、撮影メニューから選択した患者２２の所望の撮影部位に電子カセッテ２８を設定する。このとき、電子カセッテ２８のケーシング４０に設置された複数の圧力センサ４８のうち、患者２２に接触している圧力センサ４８は、所定の圧力を検出し、その圧力情報がセンサメモリ８６に一旦記憶される。次いで、前記圧力情報は、送受信部５４を介してコンソール３４に送信される。
【００３７】
送受信部１１４を介して圧力情報を受信した制御部１１２は、各圧力センサ４８により検出された圧力を所定の閾値と比較し、例えば、図５又は図６のハッチングに示すように、所定の閾値以上の圧力を検出した圧力センサ４８ａを抽出する。抽出された圧力センサ４８ａは、患者２２が接触していない他の圧力センサ４８から識別できるように、例えば、色を変えて表示部１２４に表示させてもよい。なお、表示部１２４に表示されている情報と同じ情報を、クレードル３０の表示部９６及び携帯情報端末３２の表示部１０６に表示させるようにしてもよい。
【００３８】
次いで、制御部１１２は、指定部位設定部１１５で設定した指定部位１３４又は１３６の範囲内の全ての圧力センサ４８が、患者２２の接触状態にあるか否かを判断し、その判断結果をコンソール３４の表示部１２４に表示させ、あるいは、クレードル３０又は携帯情報端末３２の表示部９６又は１０６に表示させる。
【００３９】
この場合、指定部位１３４、１３６の範囲内の全ての圧力センサ４８に患者２２が接触しているとき、所望の撮影部位が正しい状態で電子カセッテ２８に設定されていると判断することができる。この判断結果は、スピーカ９８、１０８又は１２６を用いて技師に報知することができる。
【００４０】
一方、指定部位１３４、１３６の範囲内の圧力センサ４８のうち、１つでも患者２２が接触していない状態にあるとき、患者２２の撮影部位が所望の状態で電子カセッテ２８に設定されておらず、あるいは、電子カセッテ２８に設定されている撮影部位が撮影メニュー設定部１１７で設定した撮影部位と異なっていると判断することができる。例えば、図６に示す手部の撮影を行う場合、右手と左手とで、圧力センサ４８が検出する接触範囲のパターンが異なることから、撮影部位が不適切であるか否かを判断することができる。この判断結果は、コンソール３４の表示部１２４に表示させ、あるいは、クレードル３０又は携帯情報端末３２の表示部９６又は１０６に表示させることにより、技師に対して撮影部位が不適切な状態で電子カセッテ２８に設定されていることを知らせる。また、クレードル３０、携帯情報端末３２、又は、コンソール３４のスピーカ９８、１０８又は１２６を鳴動させることで、不適切な設定状態であることを技師に報知する。技師は、この判断結果に従い、患者２２を撮影に適した状態に調整することができる。
【００４１】
ここで、患者２２の接触状態を検知する接触状態検知手段としては、圧力センサ４８に代えて、図７に示すように、電子カセッテ２８ａのケーシング４０の表面に形成され、透明電極１４０をマトリックス状に配列して構成したタッチパネルを用いることができる。この場合、患者２２が接触する透明電極１４０の交点の位置を検出し、その検出結果から、患者２２に対する電子カセッテ２８ａの接触状態を判断することができる。２次元センサとしては、多数のタッチセンサを２次元状に配列したものを用いてもよい。
【００４２】
患者２２に対して電子カセッテ２８が適切な状態に設定されたことを確認すると、技師は、携帯情報端末３２の撮影スイッチ１０２を操作し、放射線画像の撮影を行う。撮影スイッチ１０２が操作されると、携帯情報端末３２の制御部１００は、送受信部１０４を介して撮影開始信号を線源制御装置２６に送信する。撮影開始信号を受信した線源制御装置２６は、予めコンソール３４から供給されている撮影条件に従って放射線源２４を制御し、放射線Ｘを患者２２に照射する。
【００４３】
なお、放射線Ｘを患者２２に照射している間、圧力センサ４８は、患者２２が電子カセッテ２８に接触することにより生じる圧力を検出し、その検出結果をリアルタイムでクレードル３０、携帯情報端末３２又はコンソール３４に送信する。クレードル３０、携帯情報端末３２又はコンソール３４は、検出された圧力に基づいて電子カセッテ２８に対する患者２２の接触状態を判断し、例えば、撮影中の接触状態の変化から患者２２が動いたと判断したとき、あるいは、指定部位１３４、１３６の範囲内にある圧力センサ４８により検出された圧力が所定の閾値よりも小さくなったとき、不適切な撮影状態であるとして、表示部９６、１０６、１２４及びスピーカ９８、１０８、１２６を用いて技師に警告を報知することができる。
【００４４】
患者２２を透過した放射線Ｘは、電子カセッテ２８のグリッド４２によって散乱線が除去された後、放射線検出器４４に照射され、放射線検出器４４を構成する各画素６２の光電変換層５６によって電気信号に変換され、蓄積容量６０に電荷として保持される（図３参照）。次いで、各蓄積容量６０に保持された患者２２の放射線画像情報である電荷情報は、カセッテ制御部５２からライン走査駆動部６８及びマルチプレクサ７６に供給されるアドレス信号に従って読み出される。
【００４５】
すなわち、ライン走査駆動部６８のアドレスデコーダ７０は、カセッテ制御部５２から供給されるアドレス信号に従って選択信号を出力してスイッチＳＷ１の１つを選択し、対応するゲート線６４に接続されたＴＦＴ５８のゲートに制御信号Ｖｏｎを供給する。一方、マルチプレクサ７６のアドレスデコーダ７８は、カセッテ制御部５２から供給されるアドレス信号に従って選択信号を出力してスイッチＳＷ２を順次切り替え、ライン走査駆動部６８によって選択されたゲート線６４に接続された各画素６２の蓄積容量６０に保持された電荷情報である放射線画像情報を信号線６６を介して順次読み出す。
【００４６】
放射線検出器４４の選択されたゲート線６４に接続された各画素６２の蓄積容量６０から読み出された放射線画像情報は、各増幅器７２によって増幅された後、各サンプルホールド回路７４によってサンプリングされ、マルチプレクサ７６を介してＡ／Ｄ変換器８０に供給され、デジタル信号に変換される。デジタル信号に変換された放射線画像情報は、カセッテ制御部５２の画像メモリ８８に一旦記憶される。
【００４７】
同様にして、ライン走査駆動部６８のアドレスデコーダ７０は、カセッテ制御部５２から供給されるアドレス信号に従ってスイッチＳＷ１を順次切り替え、各ゲート線６４に接続されている各画素６２の蓄積容量６０に保持された電荷情報である放射線画像情報を信号線６６を介して読み出し、マルチプレクサ７６及びＡ／Ｄ変換器８０を介してカセッテ制御部５２の画像メモリ８８に記憶させる。
【００４８】
画像メモリ８８に記憶された放射線画像情報は、送受信部５４を介して無線通信によりコンソール３４に送信され、画像処理部１２０により画像処理が施された後、患者２２に関連させて画像メモリ１２２に記憶される。次いで、画像メモリ１２２に記憶された放射線画像情報は、表示部１２４に表示される。
【００４９】
ここで、放射線検出器４４の直前には、図２に示すように、圧力センサ４８が配置されている。圧力センサ４８が放射線Ｘを完全に透過する材料で形成されていれば問題ないが、放射線Ｘを有る程度遮断する材料で形成されている場合、圧力センサ４８の影が放射線画像上に形成されてしまう。しかしながら、この影画像は、圧力センサ４８が規則的に配列されており、しかも、放射線Ｘの透過率が予め分かっていれば、画像処理部１２０での画像処理によって容易に除去することができる。圧力センサ４８に代えてタッチパネル、タッチセンサ等を用いた場合も同様である。
【００５０】
一方、電子カセッテ２８の画像メモリ８８に記憶された放射線画像情報は、カセッテ制御部５２によって圧縮処理された後、クレードル３０又は携帯情報端末３２に送信され、圧縮画像として表示部９６又は１０６に表示させることができる。技師は、表示部９６又は１０６に表示された圧縮画像を確認し、再撮影の要否等の判断を行うことができる。なお、放射線画像情報は、圧縮されることで情報量が削減されているため、速やかに表示することができる。
【００５１】
放射線画像情報の撮影処理が行われた電子カセッテ２８は、バッテリ５０が消耗する。この場合、電子カセッテ２８は、クレードル３０に装着することで充電処理が行われる。そして、次の撮影に供せられる。
【００５２】
なお、同じ患者２２の同じ撮影部位の撮影を行う場合、前回の撮影時において指定部位メモリ１２１に記憶された指定部位の情報を用いることができる。すなわち、指定部位設定部１１５は、患者情報設定部１１６によって設定された患者２２を特定する患者情報、又は、撮影メニュー設定部１１７によって設定された患者２２の撮影部位に従い、該当する指定部位の情報を指定部位メモリ１２１から読み出すことにより、前回の撮影と同じ電子カセッテ２８上の指定部位を容易に設定することができる。
【００５３】
また、前回の撮影によって画像メモリ１２２に記憶された放射線画像情報を用いて指定部位を求めることもできる。この場合、指定部位設定部１１５は、患者情報に関連する放射線画像情報を画像メモリ１２２から読み出し、放射線画像情報と圧力センサ４８との位置関係から指定部位を算出して設定することができる。
【００５４】
なお、本発明は、上述した実施形態に限定されるものではなく、本発明の主旨を逸脱しない範囲で自由に変更できることは勿論である。
【００５５】
例えば、電子カセッテ２８に収容される放射線検出器４４は、入射した放射線Ｘの線量を光電変換層５６によって直接電気信号に変換するものであるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線検出器を用いてもよい（特許第３４９４６８３号公報参照）。
【００５６】
また、光変換方式の放射線検出器を利用して放射線画像情報を取得することもできる。この光変換方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【００５７】
さらに、放射線変換器として、蓄積性蛍光体パネルを使用することもできる。
【図面の簡単な説明】
【００５８】
【図１】本実施形態に係る放射線画像撮影システムの説明図である。
【図２】電子カセッテの内部構成図である。
【図３】電子カセッテに収納される放射線検出器の回路構成ブロック図である。
【図４】放射線画像撮影システムの構成ブロック図である。
【図５】胸部の撮影プロファイルである設定接触範囲、指定部位及び圧力センサの対応関係の説明図である。
【図６】手部の撮影プロファイルである設定接触範囲、指定部位及び圧力センサの対応関係の説明図である。
【図７】タッチパネルを配置した電子カセッテの構成図である。
【図８】従来技術に係る放射線変換器の撮影範囲の位置調整の説明図である。
【図９】従来技術に係る撮影台の位置調整の説明図である。
【符号の説明】
【００５９】
２０…放射線画像撮影システム
２２…患者
２４…放射線源
２６…線源制御装置
２８、２８ａ…電子カセッテ
３０…クレードル
３２…携帯情報端末
３４…コンソール
３６…撮影室
３８…操作室
４０…ケーシング
４４…放射線検出器
４８、４８ａ…圧力センサ
５０…バッテリ
５２…カセッテ制御部
８２…ＲＩＳ
８４…ＨＩＳ
９６、１０６、１２４…表示部
９８、１０８、１２６…スピーカ
１１５…指定部位設定部
１１７…撮影メニュー設定部
１１９…撮影プロファイルメモリ
１３４、１３６…指定部位
１４０…透明電極
【図１】
2009178196.tif 000003
【図２】
2009178196.tif 000004
【図３】
2009178196.tif 000005
【図４】
2009178196.tif 000006
【図５】
2009178196.tif 000007
【図６】
2009178196.tif 000008
【図７】
2009178196.tif 000009
【図８】
2009178196.tif 000010
【図９】
2009178196.tif 000011